(57)【要約】【課題】見出し文字が見やすいハンドラベラを提供する。【解決手段】ハンドラベラ１０は、印字する内容の反転形状が形成された印面５１と、印面５１と対応した見出し文字５２とを有する無端状の印字バンド５０と、印字バンド５０を回転可能に保持する印字器本体３１と、見出し文字５２が見えるように印字器本体３１に開口された見出窓３２と、見出窓３２を通して見える見出し文字５２を拡大する拡大部６０とを備えるように構成されている。【選択図】図３
2016047600.tif 000002
【特許請求の範囲】
【請求項１】
印字する内容の反転形状が形成された印面と、前記印面と対応した見出し文字とを有する無端状の印字バンドと、
前記印字バンドを回転可能に保持する印字器本体と、
前記見出し文字が見えるように前記印字器本体に開口された見出窓と、
前記見出窓を通して見える前記見出し文字を拡大する拡大部と、
を備えたハンドラベラ。
【請求項２】
請求項１に記載のハンドラベラにおいて、
前記拡大部は、前記見出し文字との間の距離を変更できるように前記拡大部の焦点調節方向に沿って移動可能に設けられていること、
を特徴とするハンドラベラ。
【請求項３】
請求項２に記載のハンドラベラにおいて、
前記印字器本体の組み立てに用いられるねじ部材を有し、
前記拡大部は、前記拡大部の移動方向に沿った向きに長く形成された長孔部を有したレンズ支持部に支持されており、
前記長孔部は、少なくとも一部が前記ねじ部材により移動をガイドされていること、
を特徴とするハンドラベラ。
【発明の詳細な説明】
【技術分野】
【０００１】
本発明は、価格等の各種情報をラベルに印字して、これを貼り付けるハンドラベラに関するものである。
【背景技術】
【０００２】
ハンドラベラでは、印字する文字や数字等を設定するときに、ダイヤルを回して設定を行う。この時、実際に印字が行われる印面と対応した見出し文字が見出窓に表示され、利用者は、この見出窓の見出し文字を見ながら、ダイヤルを回して設定を行う。
【０００３】
見出し文字は、印字される文字等と同じ大きさに形成されているものが多いが、奥まった位置にあることもあり、印字される文字等よりも見にくい場合が多かった。特に、利用者が高齢者であったり老眼を伴っていたりする場合には、見出し文字が見づらく、設定を誤ってしまうおそれがあった。
【０００４】
特許文献１には、携帯電話機のディスプレーにフレネルレンズを重ね合わせて、読みにくい文字等を拡大して見やすくする技術が開示されている。
【先行技術文献】
【特許文献】
【０００５】
【特許文献１】特開２００２−３６８８５４号公報
【発明の概要】
【発明が解決しようとする課題】
【０００６】
携帯電話機における文字等を見やすくする技術については、上述した特許文献１の開示がある。しかし、ハンドラベラにおける見出し文字を見やすくする技術については、これまで有効な解決策が提案されていなかった。
【０００７】
本発明の課題は、見出し文字が見やすいハンドラベラを提供することである。
【課題を解決するための手段】
【０００８】
本発明は、以下のような解決手段により、前記課題を解決する。
【０００９】
請求項１の発明は、印字する内容の反転形状が形成された印面と、前記印面と対応した見出し文字とを有する無端状の印字バンドと、前記印字バンドを回転可能に保持する印字器本体と、前記見出し文字が見えるように前記印字器本体に開口された見出窓と、前記見出窓を通して見える前記見出し文字を拡大する拡大部と、を備えたハンドラベラである。
請求項２の発明は、請求項１に記載のハンドラベラにおいて、前記拡大部は、前記見出し文字との間の距離を変更できるように前記拡大部の焦点調節方向に沿って移動可能に設けられていること、を特徴とするハンドラベラである。
請求項３の発明は、請求項２に記載のハンドラベラにおいて、前記印字器本体の組み立てに用いられるねじ部材を有し、前記拡大部は、前記拡大部の移動方向に沿った向きに長く形成された長孔部を有したレンズ支持部に支持されており、前記長孔部は、少なくとも一部が前記ねじ部材により移動をガイドされていること、を特徴とするハンドラベラである。
【発明の効果】
【００１０】
本発明によれば、ハンドラベラは、見出し文字が見やすく、誤った設定がされることを防止できる。
【図面の簡単な説明】
【００１１】
【図１】本発明によるハンドラベラ１０の第１実施形態を示す概略側面図である。
【図２】印字器３０の斜視図である。
【図３】図２中の矢印Ａ−Ａの向きで印字器３０を切断した断面図である。
【図４】図２中の矢印Ｂ−Ｂの向きで印字器３０を切断した断面図である。
【図５】印字器３０の側面図である。
【図６】第２実施形態のハンドラベラ１０Ｂを示す概略側面図である。
【発明を実施するための形態】
【００１２】
以下、本発明を実施するための最良の形態について図面等を参照して説明する。
【００１３】
（第１実施形態）
図１は、本発明によるハンドラベラ１０の第１実施形態を示す概略側面図である。
なお、図１を含め、以下に示す各図は、模式的に示した図であり、各部の大きさ、形状は、理解を容易にするために、適宜誇張して示している。
また、以下の説明では、具体的な数値、形状、材料等を示して説明を行うが、これらは、適宜変更することができる。
【００１４】
本実施形態のハンドラベラ１０は、本体２０に設けられたグリップ２１と、このグリップ２１と対設された作動レバー２２とを有している。作動レバー２２は、本体２０の機枠に軸２３によって保持されており、この先端部分は、二又状のヨーク２４となっている。このヨーク２４の先端には、印字器３０及び印字器４０が固定されている。
【００１５】
本体２０の上方には、ロール状に巻回されたラベル連続体７０が装填される。このラベル連続体７０は、本体２０内に設けられた移送装置を経て印字器３０及び印字器４０と対設されたプラテン２６上に導かれ、ラベル連続体７０のラベル７１上に印字が施されるものである。
ラベル連続体７０は、帯状台紙７２上に、所定の間隔のカットラインを介して配列された複数のラベル７１を仮着した構成となっている。帯状台紙７２は、プラテン２６の先端で転向されて本体２０の後方に導き出される。
【００１６】
ラベル７１上への印字は、作動レバー２２を把握することにより、印字器３０及び印字器４０がインキ供給装置２８の弾性付勢に抗してインキローラ２９を印字器３０及び印字器４０の下面に位置する印字バンド５０の印面５１にインキを塗布してプラテン２６上に位置しているラベル７１に当接して行われる。
【００１７】
印字が施されたラベル７１は、本体２０内に設けられた不図示の歯付回転体（移動装置）の回転によって帯状台紙７２が牽引されることにより、この帯状台紙７２から剥離して貼付ローラ２７の下方に繰り出され、本体２０の擦り付け作動によって物品に貼付される。
【００１８】
次に、印字器３０及び印字器４０について説明する。印字器３０及び印字器４０は、印面５１の内容が異なる他は、略同様な構成をしているので、ここでは、主に印字器３０を例に挙げて説明する。
【００１９】
図２は、印字器３０の斜視図である。
図３は、図２中の矢印Ａ−Ａの向きで印字器３０を切断した断面図である。
図４は、図２中の矢印Ｂ−Ｂの向きで印字器３０を切断した断面図である。
図５は、印字器３０の側面図である。
印字器３０の印字器本体３１には、印面５１と見出し文字５２とを有するエンドレスの印字バンド５０を懸架した見出ホイール３８と回転受部材４５とが装着されている。
【００２０】
印字バンド５０は、エンドレス形状（環状形状）に形成されており、その外周面の半分に文字（英・数字）などの印面５１が設けられており、他の外周半分に、この印面５１に対応する文字（英・数字）などの見出し文字５２が設けられている。また、印字バンド５０の内周面には、係合凸部５３が設けられている。この係合凸部５３は、見出ホイール３８の外周凹部３８ａと回転受部材４５の係合凹部４５ａとに係脱自在となっている。回転受部材４５は、回転可能な状態で印字器本体３１に設けられている。選択つまみ３３が回転操作されることにより、見出ホイール３８が回転すると、係合凸部５３の係合により印字バンド５０が移動する。
【００２１】
また、見出ホイール３８の内周には、内周凹部３９ａが設けられている。この内周凹部３９ａには、選択つまみ３３の選択軸３４に装着された係合ピン３５が係脱自在となっている。この係合ピン３５の係合位置は、選択軸３４に取付けられたインジケータ３７ａの矢印指示部３７ｂに対応する位置となっている。
【００２２】
インジケータ３７ａは、選択軸３４の軸方向に沿った方向に選択軸３４と共に移動可能となるように選択つまみ３３の溝部３３ａに係合した状態で、印字器本体３１に装備されている。印字器本体３１の上端部中央付近であって、矢印指示部３７ｂが移動する範囲には、見出窓３２が開口されている。矢印指示部３７ｂは、この見出窓３２を通して利用者により視認されることが可能となっている。
【００２３】
選択軸３４の外周には、軸溝３４ａが円周方向に沿って形成されている。この軸溝３４ａにスプリング３４ｂとボール３４ｃとからなる弾性保持部が付勢した状態で当接して、この選択軸３４の軸方向のスライドをスムーズとしながらも、軸方向の選択位置を仮保持できるようにしている。
【００２４】
見出ホイール３８の下部と、回転受部材４５の上部とには、それぞれ弾性支持体４８，４９が備えられている。これら弾性支持体４８，４９は、印字器本体３１に形成された保持部５５で保持されている。
【００２５】
弾性支持体４８は、２つの突出した突起部４８ａを有している。弾性支持体４８は、それ自体が弾性体により形成されており、この突起部４８ａは、見出ホイール３８の外周凹部３８ａに挿脱自在となっている。弾性支持体４８は、見出ホイール３８の回転に伴い、突起部４８ａが見出ホイール３８の外周凹部３８ａに挿脱することにより、見出ホイール３８の位置を仮保持する。
【００２６】
弾性支持体４９は、ばね４９ａにより回転受部材４５に向かって付勢されており、先端が回転受部材４５の平面に当接している。弾性支持体４９は、回転受部材４５が回転すると、当接する平面が変ることにより、回転受部材４５を所定の回転位置に保持する。これにより、回転受部材４５により印面５１を正しい向きに保持することが可能となり、印字を正しく行うことができる。
【００２７】
所望の印字列の所望の印面５１を選択するときには、選択つまみ３３を引出し、インジケータ３７ａの矢印指示部３７ｂを所望の印字列に合せる。そして、矢印指示部３７ｂが指し示す印字バンド５０の列において、見出窓３２から視認可能な位置に見出し文字５２を合わせるように選択つまみ３３を回転させることにより、選択軸３４の係合ピン３５が見出ホイール３８に係合して、印字バンド５０が移動し、見出窓３２よりその見出し文字５２を確認しながら、所望の文字または記号を選択する。この作業を必要な印字バンド５０の列毎に繰り返すことにより、任意の印字内容を設定できる。
【００２８】
本実施形態のハンドラベラ１０は、印面５１の選択設定を行うときに、見出し文字５２を見やすくするための拡大部６０を備えている。以下、この拡大部６０について説明する。
拡大部６０は、レンズ６１と、レンズ支持部６２とを備えている。
【００２９】
レンズ６１は、見出窓３２の全体を覆うように配置されており、見出し文字５２及び矢印指示部３７ｂを光学的に拡大することができる拡大鏡である。本実施形態のレンズ６１は、凸レンズとして図示しているが、これは、例えば、フレネルレンズにより形成してもよい。レンズ６１は、レンズ支持部６２に対して取り付けられており、レンズ支持部６２と共に見出し文字５２との間の距離を変更できるようにレンズ６１の焦点調節方向に沿って移動可能に設けられている。
【００３０】
レンズ支持部６２は、レンズ６１を支持しており、また、印字器本体３１に対してスライド移動可能に取り付けられている。
レンズ支持部６２は、レンズ枠部６２ａと、アーム部６２ｂとを有している。
レンズ枠部６２ａは、レンズ６１の外周を支持するように形成されている。
アーム部６２ｂは、レンズ枠部６２ａから図中の下方に向けて４本が延在して形成されている。アーム部６２ｂには、拡大部６０の移動方向（図中の上下方向）に沿った向きに長く形成された長孔部６３，６４が設けられている。
【００３１】
長孔部６３は、長孔部６４よりもレンズ枠部６２ａに近い側（図中の上側）に設けられている。図３中の右側に設けられている長孔部６３は、選択つまみ３３の選択軸３４を保持している軸受部３１ａと嵌合して、拡大部６０の移動をガイドする。これに対して、本実施形態では、長孔部６３と対向する他方（左側）には、長孔部６４に相当する部分を設けていないが、右側と同様に構成してもよい。
【００３２】
長孔部６４は、長孔部６３よりもレンズ枠部６２ａから遠い側（図中の下側）に設けられている。図３中の左右２箇所に設けられている長孔部６４の内の右側の長孔部６４は、印字器本体３１の組み立てに用いられるねじ部材８１と嵌合して、拡大部６０の移動をガイドする。これに対して、図３中の左側の長孔部６４は、印字器本体３１に圧入されたガイドピン８２と嵌合して、拡大部６０の移動をガイドする。
なお、ねじ部材８１及びガイドピン８２のいずれも、その頭部が長孔部６４の幅よりも大きく形成されており、アーム部６２ｂの位置を規制している。
また、ねじ部材８１を回転操作することで、拡大部６０の移動（調整）と、拡大部６０の固定をすることができる。
【００３３】
上述した構成により、拡大部６０は、レンズ６１と見出し文字５２との間の距離を変更できるようにレンズ６１の焦点調節方向に沿って移動可能である。利用者は、レンズ６１により拡大される見出し文字５２の文字等を観察しながら、より見やすい位置にレンズ６１の位置を調整可能であり、様々な利用者に対して見やすい設定が可能である。
なお、印字器４０についても、上述した印字器３０と同様な拡大部が構成されている。
【００３４】
以上説明したように、第１実施形態によれば、ハンドラベラ１０は、拡大部６０を有しているので、見出し文字５２の文字等を拡大表示することができ、高齢者等であっても見出し文字５２の文字等が見やすくなり、設定ミスを防止できる。また、拡大部６０は、焦点調節方向に沿って移動可能であるから、ハンドラベラ１０は、様々な利用者に対して見やすい作業環境を提供できる。また、レンズ６１は、矢印指示部３７ｂも拡大して表示できるので、ハンドラベラ１０は、印字バンド５０の選択されている列をより分かりやすくできる。
【００３５】
（第２実施形態）
図６は、第２実施形態のハンドラベラ１０Ｂを示す概略側面図である。
第２実施形態のハンドラベラ１０Ｂは、第１実施形態の拡大部６０を改良した拡大部６０Ｂとしている他は、第１実施形態のハンドラベラ１０と同様な形態をしている。よって、前述した第１実施形態と同様の機能を果たす部分には、同一の符号を付して、重複する説明を適宜省略する。
【００３６】
第２実施形態の拡大部６０Ｂは、印字器３０のレンズ６１と、印字器４０のレンズ６１とをまとめて保持するように、両者を連結した形態となっている。これにより、第２実施形態の拡大部６０Ｂは、印字器３０のレンズ６１と、印字器４０のレンズ６１とが同時に同じ位置に移動でき、見やすさの調節作業を一度の作業で終了させることができ、さらに作業性を高めることができる。
【００３７】
（変形形態）
以上説明した実施形態に限定されることなく、種々の変形や変更が可能であって、それらも本発明の範囲内である。
【００３８】
第１実施形態において、２つの印字器を有するハンドラベラを例に挙げて説明した。これに限らず、例えば、印字器の数は１つであってもよいし、３つ以上あってもよい。また、第２実施形態においても、印字器の数を３つ以上としてもよい。
【００３９】
各実施形態において、拡大部をインジケータとは独立して設けた例を挙げて説明した。これに限らず、例えば、拡大部を構成するレンズをインジケータに取り付けてもよい。
【００４０】
なお、各実施形態及び変形形態は、適宜組み合わせて用いることもできるが、詳細な説明は省略する。また、本発明は、以上説明した各実施形態によって限定されることはない。
【符号の説明】
【００４１】
１０，１０Ｂ  ハンドラベラ
２０    本体
２１    グリップ
２２    作動レバー
２３    軸
２４    ヨーク
２６    プラテン
２７    貼付ローラ
２８    インキ供給装置
２９    インキローラ
３０    印字器
３１    印字器本体
３１ａ  軸受部
３２    見出窓
３３    選択つまみ
３３ａ  溝部
３４    選択軸
３４ａ  軸溝
３４ｂ  スプリング
３４ｃ  ボール
３５    係合ピン
３７ａ  インジケータ
３７ｂ  矢印指示部
３８    見出ホイール
３８ａ  外周凹部
３９ａ  内周凹部
４０    印字器
４５    回転受部材
４５ａ  係合凹部
４８    弾性支持体
４８ａ  突起部
４９    弾性支持体
４９ａ  ばね
５０    印字バンド
５１    印面
５２    見出し文字
５３    係合凸部
５５    保持部
６０，６０Ｂ  拡大部
６１    レンズ
６２    レンズ支持部
６２ａ  レンズ枠部
６２ｂ  アーム部
６３，６４  長孔部
７０    ラベル連続体
７１    ラベル
７２    帯状台紙
８１    ねじ部材
８２    ガイドピン
【図１】
2016047600.tif 000003
【図２】
2016047600.tif 000004
【図３】
2016047600.tif 000005
【図４】
2016047600.tif 000006
【図５】
2016047600.tif 000007
【図６】
2016047600.tif 000008